(57)【要約】【課題】本考案は、装飾オーナメントに容易に取り付けることができると共に大きさ等に関係なく装飾電球を装飾オーナメント内部の希望する位置に取り付けられる装飾電球の装飾オーナメント取付構造を提供する。【解決手段】装飾オーナメント１０の開口部１５には取付パイプ部１６が取り付けられている。この取付パイプ部１６には雌螺子孔１７が貫通形成されている。装飾オーナメント１０の空洞部１２には導線２６に設けられた装飾電球２８が挿入されている。導線２６には取付パイプ部１６に螺入される止め具３０が取り付けられている。止め具３０には導線２６が収容される導線収容孔３２が形成されている。前記止め具３０の外周面には雌螺子孔１７と螺合する雄螺子３３が形成されている。また、止め具３０には導線収容孔３２に達するスリット３４が形成されている。【選択図】　　図１
0003097091.tif 000002
【実用新案登録請求の範囲】
【請求項１】
装飾電球が挿入される装飾オーナメントと、この装飾オーナメントに設けられた取付パイプ部と、この取付パイプ部に嵌め込まれて取り付けられる止め具と、この止め具に貫通形成されると共に前記装飾電球が接続された導線が収容される導線収容孔と、前記止め具に導線収容孔に達するように形成されたスリットと、を有してなることを特徴とする装飾電球の装飾オーナメント取付構造。
【請求項２】
装飾電球が挿入される装飾オーナメントと、この装飾オーナメントに設けられた取付パイプ部と、外周面が前記取付パイプ部の内周面に密着当接することにより取付パイプ部に取り付けられる止め具と、この止め具に貫通形成されると共に前記装飾電球が接続された導線が収容される導線収容孔と、前記止め具に導線収容孔に達するように形成されたスリットと、を有してなることを特徴とする装飾電球の装飾オーナメント取付構造。
【請求項３】
装飾電球が挿入される装飾オーナメントと、この装飾オーナメントに取り付けられた取付パイプ部と、この取付パイプ部に貫通形成された雌螺子孔と、外周面に雄螺子が形成されると共に前記取付パイプ部に螺入して取付パイプ部に取り付けられる止め具と、この止め具に貫通形成されると共に前記装飾電球が接続された導線が収容される導線収容孔と、前記止め具に導線収容孔に達するように形成されたスリットと、を有してなることを特徴とする装飾電球の装飾オーナメント取付構造。
【請求項４】
装飾電球が挿入される装飾オーナメントと、この装飾オーナメントに取り付けられた取付パイプ部と、この取付パイプ部に貫通形成された雌螺子孔と、外周面に雄螺子が形成されると共に前記取付パイプ部に螺入して取付パイプ部に取り付けられる止め具と、この止め具に貫通形成されると共に前記装飾電球が接続された導線が収容される導線収容孔と、前記止め具に導線収容孔に達するように形成されたスリットと、前記止め具の外周面で止め具の上下方向に沿って形成された溝と、を有してなることを特徴とする装飾電球の装飾オーナメント取付構造。
【考案の詳細な説明】
【０００１】
【考案の属する技術分野】
本考案は、主にクリスマスツリー等に飾られて使用される装飾電球が挿入される装飾オーナメントに前記装飾電球を挿入状態で取り付けることができる装飾電球の装飾オーナメント取付構造に関する。
【０００２】
【従来の技術】
クリスマスツリー等を装飾する装飾電球をボール状等の装飾オーナメントに挿入して前記装飾電球を点灯させてクリスマスツリー等を装飾する装飾オーナメントが提案されている。
この装飾オーナメントに前記装飾電球を挿入した状態で取り付ける構造は、装飾電球のソケットを装飾オーナメントの開口部に嵌入することにより装飾電球をオーナメントに挿入した状態で取り付けている。
しかし、所謂マイクロバルブタイプと称される装飾電球をはじめとしてソケットが設けられていない装飾電球においてはソケットを装飾オーナメントの開口部に嵌入することができないので、これらのタイプの装飾電球を装飾オーナメントに挿入して取り付けることはできない。
また、ソケットを有する装飾電球においても装飾電球とソケットとの距離は短いため、大型の装飾オーナメントに装飾電球を挿入した場合に装飾電球を装飾オーナメントの中央部まで位置させることができず装飾電球を点灯させた場合、装飾オーナメントの開口部近くで装飾電球が点灯して点灯部分が装飾オーナメントの開口部近くに偏って装飾オーナメントの装飾効果を高めることが困難になるという不具合がある。
【０００３】
【考案が解決しようとする課題】
本考案は上記事実に鑑みなされたものであり、ソケットが設けられていない装飾電球でも装飾オーナメントに取り付けることができると共に大きさや形状に関係なく装飾電球を装飾オーナメント内部の希望する位置に取り付けることができる装飾電球の装飾オーナメント取付構造を提供するものである。
【０００４】
【課題を解決するための手段】
請求項１の考案は、装飾電球が挿入される装飾オーナメントと、この装飾オーナメントに設けられた取付パイプ部と、この取付パイプ部に嵌め込まれて取り付けられる止め具と、この止め具に貫通形成されると共に前記装飾電球が接続された導線が収容される導線収容孔と、前記止め具に導線収容孔に達するように形成されたスリットと、を有してなることを特徴としている。
請求項２の考案は、装飾電球が挿入される装飾オーナメントと、この装飾オーナメントに設けられた取付パイプ部と、外周面が前記取付パイプ部の内周面に密着当接することにより取付パイプ部に取り付けられる止め具と、この止め具に貫通形成されると共に前記装飾電球が接続された導線が収容される導線収容孔と、前記止め具に導線収容孔に達するように形成されたスリットと、を有してなることを特徴としている。
請求項３の考案は、装飾電球が挿入される装飾オーナメントと、この装飾オーナメントに取り付けられた取付パイプ部と、この取付パイプ部に貫通形成された雌螺子孔と、外周面に雄螺子が形成されると共に前記取付パイプ部に螺入して取付パイプ部に取り付けられる止め具と、この止め具に貫通形成されると共に前記装飾電球が接続された導線が収容される導線収容孔と、前記止め具に導線収容孔に達するように形成されたスリットと、を有してなることを特徴としている。
請求項４の考案は、装飾電球が挿入される装飾オーナメントと、この装飾オーナメントに取り付けられた取付パイプ部と、この取付パイプ部に貫通形成された雌螺子孔と、外周面に雄螺子が形成されると共に前記取付パイプ部に螺入して取付パイプ部に取り付けられる止め具と、この止め具に貫通形成されると共に前記装飾電球が接続された導線が収容される導線収容孔と、前記止め具に導線収容孔に達するように形成されたスリットと、前記止め具の外周面で止め具の上下方向に沿って形成された溝と、を有してなることを特徴としている。
【０００５】
【考案の実施の形態】
図１〜図５には本考案に係る装飾電球の装飾オーナメント取付構造の一実施例が示されている。なお、この実施例ではソケットが設けられていないマイクロバルブタイプの装飾電球をボール状の装飾オーナメントに取り付ける場合を例にして説明する。
図１及び図２に示されるように、装飾オーナメント１０は合成樹脂材でボール状に形成され、内部には空洞部１２が形成されている。また、この装飾オーナメント１０のボール状部１４には水抜き孔（図示せず）が複数穿設されている。
図２に示されるように、前記装飾オーナメント１０には開口部１５が形成されている。この開口部１５には円筒形状の取付パイプ部１６が挿入された状態で取り付けられている。この取付パイプ部１６には雌螺子孔１７が貫通形成されている。また、前記取付パイプ部１６の外周面には抜け防止突起１８が突設されている。この抜け防止突起１８にはテーパ面１８Ａが形成されている。また、取付パイプ部１６の開口部２０には縁部突起２２が突設されている。
従って、取付パイプ部１６を開口部１５に挿入すると開口部１５の縁部１５Ａは抜け防止突起１８と縁部突起２２に挟まれて取付パイプ部１６は装飾オーナメント１０に確実に取り付けられるようになっている。
図１に示されるように、前記装飾オーナメント１０の空洞部１２には装飾電球装置２４（図５参照）の第１導線２６Ａと第２導線２６Ｂからなる導線２６の先端部に設けられた装飾電球２８が挿入されている。
図４に示されるように、前記導線２６には前記取付パイプ部１６に螺入される円柱状に形成された止め具３０が取り付けられている。
図３に示されるように、前記止め具３０には前記導線２６が収容される導線収容孔３２が形成されている。この導線収容孔３２は前記導線２６の第１導線２６Ａ，第２導線２６Ｂに対応するように正面視繭形状に形成されている。前記止め具３０の外周面には前記雌螺子孔１７と螺合する雄螺子３３が形成されている。また、前記止め具３０の外周面には前記導線収容孔３２に達するスリット３４が形成されている。従って、このスリット３４を開くようにして前記導線２６を押し込めば導線２６を簡単に導線収容孔３２に収容できるようになっている。
前記止め具３０の外周面には止め具の上下方向（図４上下方向）に沿って小さい溝３８が複数形成されている。これら溝３８を形成することにより、装飾オーナメント１０の空洞部１２に空気を入れて装飾オーナメント１０内部が熱くなりすぎるのを防止できる。
【０００６】
次に、実施例の装飾電球の装飾オーナメント取付構造の作用について説明する。
最初に前記止め具３０を導線２６に取り付ける場合は、止め具３０のスリット３４に導線２６を押し当ててスリット３４を開くようにして前記導線２６を押し込んで導線２６を止め具３０の導線収容孔３２に収容する。これにより止め具３０を導線２６に簡単に取り付けることができる。
そして、装飾電球２８を装飾オーナメント１０の取付パイプ部１６に挿入すると共に前記止め具３０を螺入する。
すると、止め具３０の雄螺子３３と取付パイプ部１６の雌螺子孔１７は螺合するので確実に止め具３０を取付パイプ部１６に取り付けることができる。
従って、ソケット部が設けられていない装飾電球２８でも装飾オーナメント１０に挿入させた状態で簡単かつ確実に取り付けることができる。
また、前記止め具３０は導線２６の適宜位置に取り付けることができるので装飾電球２８と止め具３０の距離を自由に設定することができる。これにより、大きな装飾オーナメント１０に装飾電球２８を挿入する場合は装飾電球２８と止め具３０の距離を長くし、小さい装飾オーナメント１０に装飾電球２８を挿入する場合は装飾電球２８と止め具３０の距離を短くすることが簡単に行える。
この結果、装飾オーナメント１０の大きさや形状に関係無く装飾電球２８を装飾オーナメント１０の中央部に位置させて装飾オーナメント１０の中央部で装飾電球２８を点灯することができるので、装飾オーナメント１０の装飾効果を一段と高めることができる。
【０００７】
なお、実施例ではボール状の装飾オーナメント１０を例にして説明したが、装飾オーナメント１０の形状はボール状に限定されるものでないことは勿論である。
また、実施例ではマイクロバルブタイプの装飾電球２８を示したが、装飾電球２８はマイクロバルブタイプに限定されるものでないことは勿論である。
【０００８】
【考案の効果】
本考案の装飾電球の装飾オーナメント取付構造は、ソケットを有していない装飾電球でも簡単かつ確実に装飾オーナメントに挿入状態で取り付けることができるという優れた効果を有する。
また、本考案の装飾電球の装飾オーナメント取付構造は、装飾オーナメントの大きさや形状に関係なく装飾オーナメント内部の希望する位置に装飾電球を簡単に取り付けることができると共に装飾オーナメントの装飾効果を一段と高めることができるという優れた効果を有する。
【図面の簡単な説明】
【図１】実施例の装飾オーナメントに装飾電球を挿入した状態の側面図である。
【図２】実施例の装飾オーナメントの縦断面図である。
【図３】実施例の止め具の全体斜視図である。
【図４】実施例の止め具を導線に取り付けた状態の平面図である。
【図５】実施例の装飾オーナメントが取り付けられた装飾電球装置の斜視図である。
【符号の説明】
１０　　装飾オーナメント
１２　　空洞部
１６　　取付パイプ部
１７　　雌螺子孔
１８　　抜け防止突起
２２　　縁部突起
２６　　導線
２８　　装飾電球
３０　　止め具
３２　　導線収容孔
３３　　雄螺子
３４　　スリット
【図１】
0003097091.tif 000003
【図２】
0003097091.tif 000004
【図３】
0003097091.tif 000005
【図４】
0003097091.tif 000006
【図５】
0003097091.tif 000007